(57)【特許請求の範囲】
【請求項１】
測定対象物が載置される載置部と、
前記載置部に載置されている測定対象物の荷重を検出する荷重検出部と、
前記載置部に載置されている測定対象物の静電気を除電する除電器と、
前記除電器の動作を制御する除電処理部と、
前記載置部に測定対象物が載置された状態で、前記除電処理部の制御により、前記除電器による除電が行われた場合に、除電を行う前後で前記荷重検出部により検出される荷重の振れ幅の変化に基づいて、当該振れ幅が静電気によるものであるか否かを判定する判定処理部とを備えることを特徴とする電子天秤。
【請求項２】
前記除電処理部は、前記判定処理部が前記荷重検出部により検出される荷重の振れ幅が静電気によるものであると判定した場合に、当該振れ幅が閾値未満となるまで、前記除電器による除電を繰り返すことを特徴とする請求項１に記載の電子天秤。
【請求項３】
前記荷重検出部により検出される荷重の振れ幅が前記閾値未満となるまでの除電時間を測定対象物の識別情報に対応付けて記憶する記憶部をさらに備えることを特徴とする請求項２に記載の電子天秤。
【請求項４】
前記判定処理部が、前記荷重検出部により検出される荷重の振れ幅が静電気によるものであると判定した場合に、前記振れ幅の変化に基づいて、当該振れ幅が閾値未満となるまでの除電時間を予測する除電時間予測処理部をさらに備えることを特徴とする請求項１に記載の電子天秤。
【請求項５】
前記除電時間予測処理部により予測された除電時間を測定対象物の識別情報に対応付けて記憶する記憶部をさらに備えることを特徴とする請求項４に記載の電子天秤。
【請求項６】
前記除電処理部は、前記荷重検出部により測定対象物の荷重が検出されたことに基づいて、前記除電器による除電を行うことを特徴とする請求項１に記載の電子天秤。
【請求項７】
前記載置部に載置される測定対象物の識別情報を読み取る識別情報読取部と、
前記識別情報読取部により読み取った識別情報に対応する除電時間を前記記憶部から読み出す除電時間読出部とをさらに備え、
前記除電処理部は、前記除電時間読出部により読み出された除電時間だけ前記除電器による測定対象物の除電を行うことを特徴とする請求項３又は５に記載の電子天秤。
【発明の詳細な説明】
【技術分野】
【０００１】
本発明は、載置部に載置される測定対象物の質量を測定するための電子天秤に関するものである。
【背景技術】
【０００２】
電子天秤には、測定対象物が載置される載置部と、載置部に載置されている測定対象物の荷重を検出する荷重検出部とが備えられている。電子天秤では、載置部に測定対象物が載置された状態において、荷重検出部からの電気信号に基づいて、測定対象物の質量が測定される。【０００３】
このような電子天秤において、静電気の影響などにより、荷重検出部からの電気信号が安定しない場合がある。具体的には、荷重検出部からの電子信号を示す波形の振れ幅（ばらつき）が大きくなり、一定の精度で信号値を検出することが難しくなる場合がある。
そこで、測定対象物の静電気を除去するための除電器を備えた電子天秤が提案されている（例えば、下記特許文献１参照）。【０００４】
特許文献１に記載の電子天秤では、測定対象物が載置部に載置された状態で、除電器が動作される。そして、荷重検出部は、静電気が除去された状態の測定対象物に基づいて安定した電気信号を出力する。電子天秤では、この電気信号に基づいて、測定対象物の質量が測定される。
【先行技術文献】
【特許文献】
【０００５】
【特許文献１】特開２０１６−１７３３０８号公報
【発明の概要】
【発明が解決しようとする課題】
【０００６】
上記したような従来の電子天秤では、除電動作を適切に実施できていない場合があるという不具合があった。具体的には、電子天秤では、荷重検出部からの検出信号が安定しない場合において、その原因が静電気の影響である場合と、静電気以外の影響である場合とがある。静電気以外の影響としては、例えば、ユーザが電子天秤に触れたために振動が発生した場合や、室温と電子天秤内の温度差のために、電子天秤内で対流が生じている場合などが挙げられる。【０００７】
荷重検出部からの検出信号が安定しない原因が静電気の影響である場合には、検出信号が安定するまで除電動作を行う必要がある。一方、荷重検出部からの検出信号が安定しない原因が静電気以外の影響である場合には、電子天秤に発生した振動が収まるまで待機したり、室温と電子天秤内との温度差を確認したりするなどの対応が必要である。【０００８】
ここで、ユーザが表示部などを目視することにより、検出信号が安定しない原因が、静電気の影響なのか、静電気以外の影響なのかを区別することは難しい。そのため、検出信号が安定しない原因が静電気の影響である場合に、ユーザが、その原因を誤って静電気以外の影響と判断して、上記した対応を行ってしまったり、検出信号が安定しない原因が静電気以外の影響であっても、ユーザが、その原因を誤って静電気の影響と判断して、無駄に除電動作を行ってしまうことがあった。
本発明は、上記実情に鑑みてなされたものであり、検出する荷重の値が安定しない場合に、その原因を的確に判断できる電子天秤を提供することを目的とする。
【課題を解決するための手段】
【０００９】
（１）本発明に係る電子天秤は、載置部と、荷重検出部と、除電器と、除電処理部と、判定処理部とを備える。前記載置部には、測定対象物が載置される。前記荷重検出部は、前記載置部に載置されている測定対象物の荷重を検出する。前記除電器は、前記載置部に載置されている測定対象物の静電気を除電する。前記除電処理部は、前記除電器の動作を制御する。前記判定処理部は、前記載置部に測定対象物が載置された状態で、前記除電処理部の制御により、前記除電器による除電が行われた場合に、除電を行う前後で前記荷重検出部により検出される荷重の振れ幅の変化に基づいて、当該振れ幅が静電気によるものであるか否かを判定する。【００１０】
載置部に測定物が載置された状態で、荷重検出部により検出される荷重の値が安定しない場合には、その検出される荷重の値に振れ幅（ばらつき）が生じている。検出した荷重の値に振れ幅が生じている原因が静電気の影響である場合には、除電器による除電を行うと、静電気が除去されて、振れ幅が変化（減少）する。一方、検出した荷重の値に振れ幅が生じている原因が静電気以外の影響である場合には、除電器による除電を行ったとしても、荷重の振れ幅は変化しない。【００１１】
上記した構成によれば、判定処理部は、除電器による除電が行われ、除電の前後で荷重検出部により検出される荷重の振れ幅の変化に基づいて、当該振れ幅が静電気によるものであるか否かを判定する。【００１２】
そのため、静電気の影響により荷重検出部により検出される荷重の値に振れ幅が生じている場合（安定しない場合）には、その原因が静電気の影響であることを的確に判定できる。また、静電気以外の影響により荷重検出部により検出される荷重の値に振れ幅が生じている場合には、その原因が静電気以外の影響であることを的確に判定できる。【００１３】
（２）また、前記除電処理部は、前記判定処理部が前記荷重検出部により検出される荷重の振れ幅が静電気によるものであると判定した場合に、当該振れ幅が閾値未満となるまで、前記除電器による除電を繰り返してもよい。【００１４】
電子天秤において除電動作を行う場合には、その除電時間は、静電気の静電量の多寡に応じて増減することが好ましい。しかし、従来の電子天秤の除電器では、通常予め所定の除電時間（例えば、１０秒）が設定されており、１回の除電動作（１０秒の除電動作）で信号が安定しない場合は、もう１回除電動作（１０秒の除電動作）を行っていた。その場合、例えば、本来１５秒で除電が完了する場合でも、２０秒の除電動作を行っていたため、余計な除電動作を行っていた。そのため、電子天秤における作業時間が長くなるという問題があった。
上記した構成によれば、荷重検出部により検出される荷重の振れ幅が静電気によるものである場合に、除電器を必要なだけ動作させて、測定対象物の静電気を除去できる。
そのため、電子天秤における作業時間が長くなることを抑制できる。【００１５】
（３）また、前記電子天秤は、記憶部をさらに備えてもよい。前記記憶部は、前記荷重検出部により検出される荷重の振れ幅が前記閾値未満となるまでの除電時間を測定対象物の識別情報に対応付けて記憶する。【００１６】
このような構成によれば、所定の測定対象物に対応する適切な除電時間を記憶部に記憶させておくことができる。【００１７】
（４）また、前記電子天秤は、除電時間予測処理部をさらに備えてもよい。前記除電時間予測処理部は、前記判定処理部が、前記荷重検出部により検出される荷重の振れ幅が静電気によるものであると判定した場合に、前記振れ幅の変化に基づいて、当該振れ幅が閾値未満となるまでの除電時間を予測する。【００１８】
このような構成によれば、除電時間予測処理部により、測定対象物の静電気を除去するための適切な除電時間を予測できる。【００１９】
（５）また、前記電子天秤は、記憶部をさらに備えてもよい。前記記憶部は、前記除電時間予測処理部により予測された除電時間を測定対象物の識別情報に対応付けて記憶する。【００２０】
このような構成によれば、所定の測定対象物に対応する適切な除電時間を記憶部に記憶させておくことができる。【００２１】
（６）また、前記除電処理部は、前記荷重検出部により測定対象物の荷重が検出されたことに基づいて、前記除電器による除電を行ってもよい。【００２２】
このような構成によれば、載置部に測定対象物が載置されたことに基づいて、自動的に除電器による除電を行うことができる。
そのため、除電動作を開始させるために、ユーザが操作部を操作する作業を省くことができる。【００２３】
（７）また、前記電子天秤は、識別情報読取部と、除電時間読出部とをさらに備えてもよい。前記識別情報読取部は、前記載置部に載置される測定対象物の識別情報を読み取る。前記除電時間読出部は、前記識別情報読取部により読み取った識別情報に対応する除電時間を前記記憶部から読み出す。前記除電処理部は、前記除電時間読出部により読み出された除電時間だけ前記除電器による測定対象物の除電を行ってもよい。【００２４】
このような構成によれば、載置部に載置される測定対象物に対応する適切な除電時間を、記憶部から読み出すことができる。そして、その適切な除電時間だけ、測定対象物の除電を行うことができる。
【発明の効果】
【００２５】
本発明によれば、判定処理部は、除電器による除電が行われ、除電の前後で荷重検出部により検出される荷重の振れ幅の変化に基づいて、当該振れ幅が静電気によるものであるか否かを判定する。そのため、静電気の影響により荷重検出部により検出される荷重の値に振れ幅が生じている場合には、その原因が静電気の影響であることを的確に判定できる。また、静電気以外の影響により荷重検出部により検出される荷重の値に振れ幅が生じている場合には、その原因が静電気以外の影響であることを的確に判定できる。
【図面の簡単な説明】
【００２６】
【図１】本発明の第１実施形態に係る電子天秤の構成例を示したブロック図である。
【図２】荷重検出部により検出される測定対象物の荷重の値の経時的変化を示したグラフである。
【図３】図１の制御部による処理の一例を示したフローチャートであって、ユーザによって操作部が操作されてから、記憶部に除電時間が記憶されるまでの処理を示している。
【図４】図１の制御部による処理の一例を示したフローチャートであって、測定対象物の識別情報が読み取られてから、除電動作が実施されるまでの処理を示している。
【図５】本発明の第２実施形態に係る電子天秤の構成例を示したブロック図である。
【図６】図５の制御部による処理の一例を示したフローチャートであって、測定対象物の荷重が検出されてから、記憶部に除電時間が記憶されるまでの処理を示している。
【発明を実施するための形態】
【００２７】
１．電子天秤の全体構成
図１は、本発明の第１実施形態に係る電子天秤の構成例を示したブロック図である。この電子天秤は、測定対象物Ｗの質量を測定するためのものであり、載置部１、荷重検出部２、除電器３、操作部４、表示部５、識別情報読取部６、記憶部７及び制御部８などを備えている。
【００２８】
載置部１は、例えば秤量皿により構成されており、その上面に測定対象物Ｗが載置される。本実施形態に係る電子天秤においては、粉体からなる試料の他、各種測定対象物Ｗを載置部１に載置して質量を測定することができる。載置部１の周囲は、例えば開閉可能な風防ケース（図示せず）により覆われており、当該風防ケース内に秤量室が形成されている。
【００２９】
荷重検出部２は、載置部１に載置されている測定対象物Ｗの荷重を検出する。図示しないが、この例では、測定対象物Ｗには、バーコードやＩＣタグなどの測定対象物Ｗを識別するための識別情報を保持する識別情報保持部が対応付けて設けられている。
載置部１が測定対象物Ｗから受ける荷重を荷重検出部２で検出することにより、その荷重に基づいて測定対象物Ｗの質量を測定することができる。この荷重検出部２における荷重の検出方式としては、電磁式又はロードセル式などを例示することができる。
【００３０】
荷重検出部２が電磁式である場合には、例えば、マグネット及びコイルなどが荷重検出部２に備えられている。この場合、載置部１に載置される測定対象物Ｗの荷重と釣り合うように、コイルに電流を流して電磁力を作用させることにより、その際の電流量に基づいて測定対象物Ｗの荷重を検出することができる。
【００３１】
荷重検出部２がロードセル式である場合には、例えばアルミなどにより形成された起歪体が荷重検出部２に備えられている。この場合、載置部１に測定対象物Ｗが載置されることにより起歪体が撓み、その撓み量が歪みゲージなどを用いて電気信号として検出されることにより、当該電気信号に基づいて測定対象物Ｗの荷重を検出することができる。ただし、荷重検出部２は、電磁式又はロードセル式に限らず、音叉式などの他の検出方式で荷重を検出するような構成であってもよい。
【００３２】
除電器３は、載置部１に載置されている測定対象物Ｗの静電気を除去する。具体的には、除電器３において発生させたイオンを載置部１上に吹き付けることにより、載置部１上の測定対象物Ｗの静電気を非接触で中和して除去することができる。ただし、除電器３は、測定対象物Ｗに蓄積されている静電気を除去することができれば、上記のような構成に限らず、他の各種態様で静電気を除去することができるような構成を採用することができる。
操作部４は、例えば、キーボード（スイッチ）により構成される。
表示部５は、例えば、液晶表示器により構成される。
【００３３】
識別情報読取部６は、測定対象物Ｗに対応付けられた識別情報保持部から識別情報を読み取るように構成されている。識別情報読取部６は、例えば、バーコードリーダやＩＣタグ用リーダなどにより構成されている。
【００３４】
記憶部７は、例えば、ハードディスク又はＲＡＭ（Random Access Memory）により構成される。記憶部７には、閾値７１、及び、複数の除電情報７２が記憶されている。
【００３５】
閾値７１は、制御部８が除電器３の動作を終了するときの基準となる情報であって、予め記憶部７に記憶されている。なお、閾値７１は、ユーザの操作部４の操作に基づいて、記憶部７に記憶されてもよい。
【００３６】
除電情報７２は、除電器３の除電時間に関する情報であって、識別情報７２１と除電時間７２２とを含んでいる。識別情報７２１は、測定対象物Ｗを識別するための情報である。除電時間７２２は、除電器３を除電する時間の情報である。識別情報７２１と除電時間７２２とは、互いに対応づけられている。
【００３７】
制御部８は、例えば、ＣＰＵ（Central Processing Unit）を含む構成である。制御部８には、荷重検出部２、除電器３、操作部４、表示部５、識別情報読取部６及び記憶部７などの各部が電気的に接続されている。本実施形態では、ＣＰＵがプログラムを実行することにより、制御部８は、入力受付部８１、除電時間読出部８２、判定処理部８３、除電処理部８４及び表示処理部８５などとして機能する。
【００３８】
入力受付部８１は、ユーザによる操作部４の操作内容の入力を受け付ける。この例では、ユーザは、除電器３の動作を開始させるための操作を操作部４において行う。すなわち、入力受付部８１は、除電器３の動作開始のための入力を受け付ける。
除電時間読出部８２は、識別情報読取部６が読み取った識別情報に基づいて、記憶部７に記憶されている除電情報７２を読み出す。
【００３９】
判定処理部８３は、荷重検出部２の検出信号に基づいて、載置部１に載置される測定対象物Ｗに静電気が生じているか否かを判定する。具体的には、判定処理部８３は、荷重検出部２が検出する荷重の値（検出信号）に振れ幅（ばらつき）が生じている場合に、その振れ幅が静電気によるものであるか否かを判定する。
【００４０】
除電処理部８４は、除電器３の動作を制御する。具体的には、除電処理部８４は、入力受付部８１が入力を受け付けたことに基づいて、除電器３を動作させる。また、除電処理部８４は、判定処理部８３の判定結果、荷重検出部２の検出信号、及び、記憶部７に記憶されている閾値７１に基づいて、除電器３を動作させる。また、除電処理部８４は、除電時間読出部８２が読み出した除電情報７２に基づいて、所定の除電時間で除電器３を動作させる。
表示処理部８５は、荷重検出部２の検出信号に基づいて、又は、判定処理部８３の判定結果に基づいて、表示部５に対する表示を制御する。
【００４１】
２．荷重検出部が検出する荷重の値
図２は、荷重検出部２により検出される測定対象物Ｗの荷重の値の経時的変化を示したグラフである。図２では、測定対象物Ｗが静電気を帯びている場合における荷重の値の経時的変化が表されている。
【００４２】
このグラフで示すように、測定対象物Ｗが静電気を帯びている場合には、荷重検出部２により検出される測定対象物Ｗの荷重の値に振れ幅（ばらつき）が生じている。具体的には、測定対象物Ｗの本来の荷重の値Ａと異なる複数の値が検出されている。このグラフにおいて、振れ幅とは、所定時間間隔ごとでの荷重の最大値と最小値との差である。このグラフでは、測定対象物Ｗの静電気が除去された結果、荷重検出部２が検出する荷重の値に生じる振れ幅が時間の経過とともに小さくなっている状態が表されている。
【００４３】
３．制御部の制御動作
図３は、制御部８による処理の一例を示したフローチャートであって、ユーザによって操作部４が操作されてから、記憶部７に除電時間が記憶されるまでの処理を示している。
【００４４】
この電子天秤において、測定対象物Ｗが載置部１に載置されると、測定対象物Ｗの識別情報が識別情報読取部６によって読み取られるとともに、測定対象物Ｗの荷重が荷重検出部２によって検出される。この例では、静電気を帯びている測定対象物Ｗが載置部１に載置されるとする。表示処理部８５は、荷重検出部２からの検出信号に基づいて、測定対象物Ｗの質量の値を表示部５に表示させる。この例では、測定対象物Ｗは静電気を帯びているため、荷重検出部２が検出する荷重の値（検出信号）は、図２のＢで示すように、その振れ幅が大きくなっている。そのため、表示部５には、振れ幅の大きい安定しない値が表示される。
【００４５】
そこで、ユーザは、操作部４において、例えば、除電ボタンを押すなど、除電器３の動作を開始させるための所定の操作を行う。操作部４の操作が行われると、入力受付部８１は、操作部４からの入力信号を受け付ける（ステップＳ１０１でＹＥＳ）。
【００４６】
すると、除電処理部８４は、入力受付部８１が操作部４からの入力信号（除電器３の動作開始のための信号）を受け付けたことに基づいて、除電器３の動作を１回実施する（ステップＳ１０２）。なお、この例では、除電処理部８４は、除電器３の動作として、除電器３を数秒間作動させる。また、図２において、除電処理部８４が除電器３を動作させるタイミングがＴ１として表されている。
【００４７】
このとき、判定処理部８３は、タイミングＴ１の前後で、荷重検出部２が検出する荷重の値の振れ幅の変化に基づいて、測定対象物Ｗが静電気を帯びている状態であるか否か（振れ幅が静電気によるものであるか否か）を判定する。具体的には、判定処理部８３は、タイミングＴ１の前での荷重の振れ幅と、タイミングＴ１の後での荷重の振れ幅とを比較し、振れ幅が小さくなっている場合に、荷重の値に振れ幅が生じている原因を静電気の影響であると判定し、振れ幅がほぼ変わらない場合又は変わらない場合に、荷重の値に振れ幅が生じている原因を静電気以外の影響であると判定する。
【００４８】
この例では、タイミングＴ１の前での荷重の振れ幅よりも、タイミングＴ１の後での荷重の振れ幅が小さくなっているため（ステップＳ１０３でＹＥＳ）、判定処理部８３は、荷重検出部２が検出する荷重の値に振れ幅が生じている原因を静電気の影響であると判定する（ステップＳ１０４）。
【００４９】
すると、除電処理部８４は、再度、除電器３を動作（再除電）させる（ステップＳ１０５）。また、除電処理部８４は、記憶部７から閾値７１を読み出し、荷重検出部２が検出する荷重の値の振れ幅が閾値７１以上の間は（ステップＳ１０６でＮＯ）、除電器３を一定時間間隔で繰り返し動作させる。この例では、除電処理部８４は、一定時間間隔ごとに除電器３を数秒間作動させており、図２のＴ２で示すタイミングで、荷重検出部２が検出する荷重の値の振れ幅が閾値７１未満になっている。
【００５０】
このようにして、荷重検出部２が検出する荷重の値の振れ幅が閾値７１未満となると（ステップＳ１０６でＹＥＳ）、除電処理部８４は、除電器３の動作を終了させる。これにより、測定対象物Ｗの静電気が除去されて、表示部５には、測定対象物Ｗの質量を示す値が、安定した状態で表示される。
【００５１】
除電処理部８４は、荷重検出部２が検出する荷重の値の振れ幅が閾値７１未満となるまでの時間（Ｔ２−Ｔ１）を、除電時間７２２として記憶部７に格納する。このとき、除電時間７２２は、識別情報読取部６が読み取った測定対象物Ｗの識別情報と対応づけられて記憶部７に格納される。このときの識別情報が識別情報７２１である。
【００５２】
また、ステップ１０３でＮＯの場合、すなわち、除電器３を１回動作させた場合において、荷重検出部２が検出する荷重の値の振れ幅にほぼ変化がない場合又は変化がない場合には、判定処理部８３は、荷重検出部２が検出する荷重の値に振れ幅が生じている原因を静電気以外の影響であると判定する（ステップＳ１０８）。
【００５３】
そして、表示処理部８５は、この判定処理部８３の判定結果に基づいて、表示部５において、静電気以外の影響で荷重検出部２が検出する荷重の値に振れ幅が生じている旨を表示させる（ステップＳ１０９）。これにより、この表示を確認したユーザは、電子天秤に発生した振動が収まるまで待機したり、室温と電子天秤内との温度差を確認したりするなど、適切な対応をとることが可能となる。
【００５４】
図４は、制御部８による処理の一例を示したフローチャートであって、測定対象物Ｗの識別情報が読み取られてから、除電動作が実施されるまでの処理を示している。
上記した説明において、記憶部７に格納された除電情報７２は、以下のようにして用いられる。
【００５５】
載置部１に載置された測定対象物Ｗの識別情報を識別情報読取部６が読み取った結果、その識別情報が記憶部７に識別情報７２１として記憶されている場合には（ステップＳ２０１）、除電時間読出部８２は、識別情報７２１に対応する除電時間７２２を読み出す（ステップ２０２）。
そして、除電処理部８４は、除電時間７２２の時間だけ除電器３を動作させて、測定対象物Ｗの除電を行う（ステップ２０３）。
【００５６】
４．作用効果
（１）本実施形態によれば、電子天秤の載置部１に測定対象物Ｗが載置された状態において、荷重検出部２が検出する荷重の値に振れ幅が生じている場合に、除電器３による除電が１回実施されると、判定処理部８３は、その除電動作の前後で荷重検出部２により検出される荷重の値の振れ幅の変化に基づいて、当該振れ幅が静電気によるものであるか否かを判定する。
【００５７】
そのため、静電気の影響により荷重検出部２により検出される荷重の値に振れ幅が生じている場合には、その原因が静電気の影響であることを的確に判定できる。また、静電気以外の影響により荷重検出部により検出される荷重の値に振れ幅が生じている場合には、その原因が静電気以外の影響であることを的確に判定できる。
【００５８】
（２）また、本実施形態によれば、判定処理部８３が、荷重検出部２が検出する荷重の値に振れ幅が生じている原因を静電気の影響であると判定した場合には（ステップＳ１０４）、除電処理部８４は、記憶部７から閾値７１を読み出し、荷重検出部２が検出する荷重の値の振れ幅が、その閾値７１未満となるまで、除電器３を一定時間間隔で繰り返し動作させる（ステップＳ１０５）。
【００５９】
そのため、荷重検出部２により検出される荷重の値の振れ幅が静電気によるものである場合に、除電器３を必要なだけ動作させて、測定対象物Ｗの静電気を除去できる。
そのため、電子天秤における作業時間が長くなることを抑制できる。
【００６０】
（３）また、本実施形態によれば、記憶部７には、荷重検出部２が検出する荷重の値の振れ幅が閾値７１未満となるまでの時間（Ｔ２−Ｔ１）が、測定対象物Ｗの識別情報と対応づけられて記憶部７に記憶されている。
【００６１】
そのため、所定の測定対象物に対応する適切な除電時間を記憶部７に記憶させておくことができる。
【００６２】
（４）また、本実施形態によれば、載置部１に載置された測定対象物Ｗの識別情報を識別情報読取部６が読み取った結果、その識別情報が記憶部７に識別情報７２１として記憶されている場合には（ステップＳ２０１）、除電時間読出部８２は、識別情報７２１に対応する除電時間７２２を読み出す（ステップ２０２）。そして、除電処理部８４は、除電時間７２２の時間だけ除電器３を動作させて、測定対象物Ｗの除電を行う（ステップ２０３）。
【００６３】
そのため、載置部１に載置される測定対象物Ｗに対応する適切な除電時間を、記憶部７
から読み出すことができる。そして、その適切な除電時間だけ、測定対象物Ｗの除電を行うことができる。
【００６４】
５．第２実施形態
以下では、図５及び図６を用いて、本発明の第２実施形態に係る電子天秤について説明する。なお、第１実施形態と同様の構成及び方法については、上記と同様の符号等を用いることにより説明を省略する。
【００６５】
第２実施形態の電子天秤は、図５に示すように、第１実施形態の電子天秤における操作部４の構成を必要としない点が、構成上において、第１実施形態と大きく異なっている。
【００６６】
（１）電子天秤の全体構成
具体的には、第２実施形態の電子天秤では、ＣＰＵがプログラムを実行することにより、制御部８は、除電時間読出部８２、判定処理部８３、除電処理部８４、表示処理部８５及び除電時間予測処理部８６として機能する。すなわち、第２実施形態の電子天秤では、制御部８は、入力受付部８１を有しておらず、新たに機能する処理部として、除電時間予測処理部８６を有している。
【００６７】
除電時間予測処理部８６は、判定処理部８３の判定結果、及び、荷重検出部２が検出する荷重の値に基づいて、適切な除電時間を予測する。具体的には、除電時間予測処理部８６は、判定処理部８３が、荷重検出部２が検出する荷重の値の振れ幅の変化に基づいて、その振れ幅が所定の閾値未満となるまでの除電時間を予測する。
【００６８】
（２）制御部の制御動作
図６は、制御部８による処理の一例を示したフローチャートであって、測定対象物Ｗの荷重が検出されてから、記憶部に除電時間が記憶されるまでの処理を示している。
【００６９】
電子天秤において、静電気を帯びた測定対象物Ｗが載置部１に載置されると、測定対象物Ｗの識別情報が識別情報読取部６によって読み取られるとともに、測定対象物Ｗの荷重が荷重検出部２によって検出される（ステップＳ３０１でＹＥＳ）。
【００７０】
すると、荷重検出部２が荷重を検出したことに基づいて、除電処理部８４は、除電器３の動作を１回実施する（ステップＳ３０２）。なお、除電処理部８４の制御による除電器３の動作の内容は、第１実施形態と同様である。
【００７１】
そして、判定処理部８３は、第１実施形態のステップ１０３と同様に、除電器３による除電の前後で、荷重の振れ幅が小さくなっていることに基づき（ステップＳ１０３でＹＥＳ）、荷重検出部２が検出する荷重の値に振れ幅が生じている原因を静電気の影響であると判定する（ステップＳ３０４）。
【００７２】
すると、除電時間予測処理部８６は、荷重検出部２が検出する荷重の値の振れ幅の変化（減少）に基づいて、その振れ幅が所定の閾値未満となるまでの除電時間を予測する（ステップＳ３０５）。具体的には、除電時間予測処理部８６は、所定時間における振れ幅の値の情報（最大値及び最小値の情報）に基づいて、振れ幅の減少を表す所定の傾きの線で表される関数（所定の変数を含む関数）を導き出す。そして、除電時間予測処理部８６は、その関数に基づいて、振れ幅が閾値未満となるまでの時間を算出する。なお、このときの閾値は、第１実施形態のように、記憶部７に記憶されていてもよい。
そして、除電処理部８４は、除電時間予測処理部８６が予測した除電時間だけ除電器３を動作させて、測定対象物Ｗの除電を行う（ステップ３０６）。
【００７３】
除電器３の動作が終了すると、表示処理部８５は、荷重検出部２が検出する安定した検出信号に基づいて、測定対象物Ｗの質量を示す値を表示部５に表示させる（ステップＳ３０７）。また、除電時間予測処理部８６は、予測した除電時間を除電時間７２２として記憶部７に格納する（ステップＳ３０８）。このとき、除電時間７２２は、識別情報読取部６が読み取った測定対象物Ｗの識別情報と対応づけられて記憶部７に格納される。このときの識別情報が識別情報７２１である。
【００７４】
また、ステップ３０３でＮＯの場合には、第１実施形態のステップＳ１０８，１０９と同様に、判定処理部８３が、荷重検出部２が検出する荷重の値に振れ幅が生じている原因を静電気以外の影響であると判定し（ステップＳ３０９）、表示処理部８５が、静電気以外の影響で荷重検出部２が検出する荷重の値に振れ幅が生じている旨を表示部５に表示させる（ステップＳ３１０）。
【００７５】
なお、第１実施形態の図４のステップ２０１〜２０３と同様の処理は、第２実施形態においても実施される。この場合には、ステップ３０８で記憶部７に格納された情報が用いられる。
【００７６】
（３）第２実施形態の作用効果
（３−１）第２実施形態では、電子天秤において、制御部８は、新たに機能する処理部として、除電時間予測処理部８６を有している。除電時間予測処理部８６は、判定処理部８３が、荷重検出部２が検出する荷重の値に振れ幅が生じている原因を静電気の影響であると判定した場合に（ステップＳ３０４）、その振れ幅の変化に基づいて、当該振れ幅が閾値未満となるまでの除電時間を予測する（ステップＳ３０５）。
【００７７】
そのため、除電時間予測処理部８６により、測定対象物Ｗの静電気を除去するための適切な除電時間を予測できる。
【００７８】
（３−２）また、第２実施形態では、記憶部７には、除電時間予測処理部８６が予測した除電時間が、除電時間７２２として記憶部７に格納される（ステップＳ３０８）。このとき、除電時間７２２は、識別情報読取部６が読み取った測定対象物Ｗの識別情報と対応づけられて記憶部７に格納される。
【００７９】
そのため、所定の測定対象物に対応する適切な除電時間を記憶部に記憶させておくことができる。
【００８０】
（３−３）また、第２実施形態では、除電処理部８４は、荷重検出部２が荷重を検出したことに基づいて、除電器３の動作を実施する（ステップＳ３０２）。
【００８１】
そのため、載置部１に測定対象物Ｗが載置されたことに基づいて、自動的に除電器３による除電を行うことができる。
その結果、除電動作を開始させるために、ユーザが操作部を操作する作業を省くことができる。
【００８２】
６．変形例
上記した第１実施形態では、判定処理部８３が、荷重検出部２が検出する荷重の値に振れ幅が生じている原因を静電気の影響であると判定した場合に、その振れ幅が閾値未満となるまで、除電器３の動作が一定時間間隔で自動的に繰り返されるとして説明した。しかし、第１実施形態において、判定処理部８３が、荷重検出部２が検出する荷重の値に振れ幅が生じている原因を静電気の影響であると判定した場合に、表示処理部８５の制御によって、表示部５において除電動作を促す（提案する）旨の表示を行ってもよい。この場合には、ユーザによって、除電器３の動作を行うための所定の操作が操作部４で行われたことに応じて、除電処理部８４の制御により除電器３の動作を開始させる。このとき、表示処理部８５の制御による表示部５の表示は、荷重検出部２が検出する荷重の値の振れ幅が閾値未満となるまで継続して行われることが好ましい。
【符号の説明】
【００８３】
１        載置部
２        荷重検出部
３        除電器
６        識別情報読取部
８        制御部
７１      閾値
７２      除電情報
８２      除電時間読出部
８３      判定処理部
８４      除電処理部
８６      除電時間予測処理部
７２１    識別情報
７２２    除電時間
【図１】
0006708265.tif 000002
【図２】
0006708265.tif 000003
【図３】
0006708265.tif 000004
【図４】
0006708265.tif 000005
【図５】
0006708265.tif 000006
【図６】
0006708265.tif 000007